(57)【要約】【課題】再生開始時に先頭部分の見逃しや誤操作が起こりにくい携帯端末を提供する。【解決手段】携帯電話機１０は第１の筐体１２と第２の筐体１３がヒンジ部１１によって二軸回転可能になっている。第２の筐体１３には内側にメインディスプレイ１７とスピーカ１８が設けられている。第１の筐体１２と第２の筐体１３の内部には携帯電話機１０の状態を検知するための磁気センサー１９ａ，１９ｂ，１９ｃ，１９ｄが設けられている。第１の筐体１２には各種指示を入力するための操作キー１４とサイドキー１６がそれぞれ内側と側面に設けられ、操作キー１４の下部にマイクロフォン１５が設けられている。携帯電話機１０は、磁気センサー１９ａ，１９ｂ，１９ｃ，１９ｄにより第１の筐体１２と第２の筐体１３とがメインディスプレイ１７を外側に向けて折り畳まれたターンオーバー状態を検出し、ターンオーバー状態検出に対してコンテンツの再生を自動的に開始する。【選択図】      図１
2008067209.tif 000002
【特許請求の範囲】
【請求項１】
少なくとも第１の筐体と、ディスプレイを備えた第２の筐体とからなる携帯端末において、
コンテンツを選択する選択手段と、
前記第２の筐体に備えた前記ディスプレイが外側に向くように前記第１の筐体と前記第２の筐体とが重なる状態になったことを検出すると、前記選択手段によって選択されたコンテンツの再生を開始する制御手段と
を有することを特徴とする携帯端末。
【請求項２】
少なくとも第１の筐体と、ディスプレイを備えた第２の筐体とからなる携帯端末において、
コンテンツを選択する選択手段と、
前記選択手段によってコンテンツが選択された後、前記第２の筐体に備えた前記ディスプレイが外側に向くように前記第１の筐体と前記第２の筐体とが重なる状態になったことを検出すると、前記選択手段によって選択されたコンテンツの再生を開始する制御手段と
を有することを特徴とする携帯端末。
【請求項３】
前記制御手段は前記第２の筐体に備えた前記ディスプレイが外側に向くように前記第１の筐体と前記第２の筐体とが重なる状態が解除されたことを検出すると前記コンテンツの再生を停止することを特徴とする請求項１または２に記載の携帯端末。
【請求項４】
少なくとも第１の筐体と、ディスプレイを備えた第２の筐体とからなる携帯端末において、
コンテンツが複数関連付けられたたフォルダを選択する選択手段と、
前記フォルダが選択手段によって選択された後、前記第２の筐体に備えた前記ディスプレイが外側に向くように前記第１の筐体と前記第２の筐体とが重なる状態になったことを検出すると、前記選択手段によって選択されたフォルダに関連付けられたコンテンツを所定順に再生を開始する制御手段と
を有することを特徴とする携帯端末。
【請求項５】
前記制御手段は、
前記コンテンツの再生停止時にコンテンツの再生停止位置を記憶し、再度再生するときに当該記憶された再生停止位置より再生することを特徴とする請求項３に記載の携帯端末。
【発明の詳細な説明】
【技術分野】
【０００１】
本発明は、携帯端末に関する。
【背景技術】
【０００２】
近年、携帯電話はパソコン、インターネット、デジタルカメラ、デジタルＡＶ機器などの発展に伴い、機能の多様化が進み、フォト撮影機能や動画撮影機能及びそれらの再生機能、音楽データの再生機能などが高機能化し、通話やメールだけではなくモバイルＡＶ機器としての役割が大きくなってきている。
【０００３】
携帯電話の形状についてはストレート型から、メインディスプレイサイズを大きくできる折り畳み型、最近ではスライド型やディスプレイ部分が回転し裏返して外側に向けられる二軸回転機構型も多く見かけるようになってきている。
【０００４】
動画再生や静止画再生、アニメーション再生といった画像系データの再生・閲覧や音楽プレーヤー再生画面についてもディスプレイ装置を全画面一杯に、かつ縦・横問わず向きを変えて利用するといった使い方が多くなってきている。
【０００５】
動画データやデジタルカメラ画像といった画像系データは横向きに利用するデータが多い。その場合、端末を横向きにして閲覧する必要があり、再生操作をしてから横向きに持ち替えるか、横に持ち替えてから再生操作をする。
【特許文献１】特開２００５−１２４００４号公報
【特許文献２】特開２００５−１３０２１９号公報
【特許文献３】特開２００５−１５１１０８号公報
【特許文献４】特開２００５−１９８１７２号公報
【発明の開示】
【発明が解決しようとする課題】
【０００６】
二軸回転機構型の携帯端末では、ディスプレイ部分を外側に向けて折り畳んだ状態で、画像系データや音楽系データなどのコンテンツを視聴する際、再生操作を行なってからディスプレイ部分の回転操作と折り畳み操作を行なうか、ディスプレイ部分の回転操作と折り畳み操作を行なってからサイドキーなどの補助キーの操作により再生操作を行なう必要がある。
【０００７】
また、再生中に再生動作を停止する際は、折り畳み状態を解除し回転操作により元の状態に戻してから停止操作を行なうか、サイドキーなどの補助キーの操作により停止操作を行なってから折り畳み状態を解除する必要がある。
【０００８】
再生操作を行なってから回転操作と折り畳み操作を行なう場合、ユーザは、再生操作後に慌てて携帯端末の向きを持ち替えて回転操作と折り畳み操作をしなければならない。また、コンテンツの先頭部分を見逃してしまうことがある。
【０００９】
また、元の状態に戻してから停止操作を行なう場合、すぐに視聴を止めることができない。さらに、停止位置を記憶しておくサスペンド／レジューム機能が働いている場合、ユーザが停止を意図した位置よりも先に進んだ位置が停止位置になってしまう。
【００１０】
一方、回転操作と折り畳み操作を行なってから再生操作を行なう場合や、停止操作を行なってから元の状態に戻す場合では、一般に操作しにくいサイドキーなどの補助キーを使用するため、煩わしい操作であり、またユーザが誤操作しやすい。
【００１１】
本発明は、この様な実状を考慮して成されたものであり、その目的は、コンテンツの再生開始時に先頭部分を見逃したり誤操作したりすることの少ない携帯端末を提供することである。
【課題を解決するための手段】
【００１２】
本発明の携帯端末は、少なくとも第１の筐体と、ディスプレイを備えた第２の筐体とからなる携帯端末において、コンテンツを選択する選択手段と、前記第２の筐体に備えた前記ディスプレイが外側に向くように前記第１の筐体と前記第２の筐体とが重なる状態になったことを検出すると、前記選択手段によって選択されたコンテンツの再生を開始する制御手段とを有することを特徴とする。
【００１３】
本発明の別の携帯端末は、少なくとも第１の筐体と、ディスプレイを備えた第２の筐体とからなる携帯端末において、コンテンツを選択する選択手段と、前記選択手段によってコンテンツが選択された後、前記第２の筐体に備えた前記ディスプレイが外側に向くように前記第１の筐体と前記第２の筐体とが重なる状態になったことを検出すると、前記選択手段によって選択されたコンテンツの再生を開始する制御手段とを有することを特徴とする。
【００１４】
本発明のまた別の携帯端末は、少なくとも第１の筐体と、ディスプレイを備えた第２の筐体とからなる携帯端末において、コンテンツが複数関連付けられたたフォルダを選択する選択手段と、前記フォルダが選択手段によって選択された後、前記第２の筐体に備えた前記ディスプレイが外側に向くように前記第１の筐体と前記第２の筐体とが重なる状態になったことを検出すると、前記選択手段によって選択されたフォルダに関連付けられたコンテンツを所定順に再生を開始する制御手段とを有することを特徴とする。
【発明の効果】
【００１５】
本発明によれば、コンテンツの再生開始時に先頭部分を見逃したり誤操作したりすることの少ない携帯端末が提供される。
【発明を実施するための最良の形態】
【００１６】
以下、図面を参照しながら本発明の実施形態について説明する。
【００１７】
図１と図２は、本発明による携帯端末の一実施形態である携帯電話機の外観を示している。図１は開いた状態の携帯電話機の外観を示し、図１（Ａ）は正面から見た外観を、図１（Ｂ）は側面から見た外観を示している。また図２は閉じた状態の携帯電話機の外観を示し、図２（Ａ）は正面から見た外観を、図２（Ｂ）は側面から見た外観を示している。
【００１８】
図１と図２に示すように、携帯電話機１０は、第１の筐体１２と第２の筐体１３とこれらを互いに連結するヒンジ部１１とを有している。第１の筐体１２と第２の筐体１３はヒンジ部１１によって二軸回転可能になっている。すなわち、第１の筐体１２に対して第２の筐体１３はＸ軸周りに１８０度回転可能であるとともにＹ軸周りに１８０度回転可能になっている。また携帯電話機１０の内部には、図示していないが、基地局と電波を送受信するための送受信用のアンテナが設けられている。
【００１９】
第２の筐体１３には、図１に示すように、その内側にメインディスプレイ１７とスピーカ１８が設けられており、図２に示すように、その外側にＣＣＤカメラ２０とサブディスプレイ２１と静電タッチパッド２２とが設けられている。ここで内側と外側という用語は、図２に示される携帯時の折り畳まれた状態に基づいている。
【００２０】
メインディスプレイ１７は、必要に応じて、電波の受信状態、電池残量、電話帳として登録されている相手先名や電話番号及び送信履歴等のほか、電子メールの内容、簡易ホームページ、ＣＣＤカメラ２０で撮像した画像、外部のコンテンツサーバから受信したコンテンツ、内部の記憶部に記憶されているコンテンツを表示する。スピーカ１８は通話時の相手の音声や再生コンテンツの音を出力する。
【００２１】
サブディスプレイ２１は、必要に応じて、現在のアンテナの感度のレベルを示すアンテナピクト、現在の電池残量を示す電池ピクト、現在の時刻などを表示する。静電タッチパッド２２は、見かけ上一枚のタッチパッドになっているが、図示せぬセンサーが複数個所に設けられている。各センサーは、ユーザがその付近を触れたことを検知する。ユーザに触れられたセンサーに応じて、巻戻し機能、早送り機能、音量ダウン動作、音量アップ動作、再生動作、および一時停止動作などが実行される。
【００２２】
図１と図２に示すように、第１の筐体１２と第２の筐体１３の内部には、所定の位置に、携帯電話機１０の状態を検知するための磁気センサー１９ａ，１９ｂ，１９ｃ，１９ｄが設けられている。これにより、携帯電話機１０が現在のどのような状態であるかを検知することができる。例えば、磁気センサー１９ａと磁気センサー１９ｂとが互いに接近していると検知しており、かつ磁気センサー１９ｃと磁気センサー１９ｄとが互いに接近していないと検知している場合には、第１の筐体１２と第２の筐体１３とがメインディスプレイ１７を内側に向けて折り畳まれた状態であると判断する。磁気センサー１９ａと磁気センサー１９ｂとが互いに接近していると検知しており、かつ磁気センサー１９ｃと磁気センサー１９ｄとが互いに接近していると検知している場合には、第１の筐体１２と第２の筐体１３とがメインディスプレイ１７を外側に向けて折り畳まれた状態であると判断する。磁気センサー１９ａと磁気センサー１９ｂとが互いに接近していないと検知しており、かつ磁気センサー１９ｃと磁気センサー１９ｄとが互いに接近していないと検知している場合には、第１の筐体１２と第２の筐体１３とがほぼ真っすぐにのばされた状態であると判断する。
【００２３】
また、第１の筐体１２には、図１に示すように、その内側に、各種指示を入力するための操作キー１４が設けられている。操作キー１４は、「０」乃至「９」の数字キー、発呼キー、リダイヤルキー、終話・電源キー、クリアキーなどを含んでいる。
【００２４】
操作キー１４はさらに、これらのキーの上部に設けられた十字キーと確定キーを含んでいる。十字キーは、ユーザがこれを上下左右方向に操作することによりカーソルを上下左右方向に移動させることを可能にする。具体的には、十字キーの操作によって、メインディスプレイ１７に表示されている電話帳リストや電子メールのスクロール動作、簡易ホームページのページ捲り動作や画像の送り動作などの種々の動作が実行される。また、確定キーは、種々の機能を確定するために使用される。例えば、ユーザによる十字キーの操作に応じて、メインディスプレイ１７に表示された電話帳リストの複数の電話番号の中から所望の電話番号が選択され、確定キーの押し下げに応じて、選択された電話番号に対する発呼処理が行なわれる。
【００２５】
さらに操作キー１４は、十字キーと確定キーの左右に設けられた電子メールキーとブラウザキーを含んでいる。電子メールキーが押圧されると、メールの送受信機能を呼び出すことができる。ブラウザキーが押圧されると、Ｗｅｂページのデータを閲覧することが可能となる。
【００２６】
また、第１の筐体１２には、操作キー１４の下部に、マイクロフォン１５が設けられている。マイクロフォン１５は通話時のユーザの音声を集音する。また、第１の筐体１２の側面には、携帯電話機の操作を行うためのサイドキー１６が設けられている。
【００２７】
さらに、図示していないが、第１の筐体１２には、第１の筐体１２の下部に抜差自在なメモリーカードを挿着するためのメモリーカードスロットが設けられている。メモリーカードには、メモボタン（図示せず）の押下に応じて通話中の相手の音声が記録されたり、ユーザの操作に応じて電子メールや簡易ホームページやＣＣＤカメラで撮像した画像が記録されたりする。
【００２８】
図３は、図１と図２に示した携帯電話機の構成ブロックを示している。
【００２９】
図示しない基地局から送信された無線信号は、アンテナ３１で受信されたのちアンテナ共用器（ＤＵＰ）３２を介して受信回路（ＲＸ）３３に入力される。受信回路３３は、受信した無線信号を周波数シンセサイザ（ＳＹＮ）３４から出力される局部発振信号とミキシングして中間周波信号に周波数変換（ダウンコンバート）する。そして、このダウンコンバートした中間周波信号を直交復調して受信ベースバンド信号を出力する。なお、周波数シンセサイザ３４から発生される局部発振信号の周波数は、制御ユニット４１から出力される制御信号ＳＹＣによって指示される。
【００３０】
上記受信ベースバンド信号はＣＤＭＡ信号処理部３６に入力される。ＣＤＭＡ信号処理部３６はＲＡＫＥ受信機を備える。ＲＡＫＥ受信機は、受信ベースバンド信号に含まれる複数のパスをそれぞれ拡散符号により逆拡散処理し、この逆拡散処理した各パスの信号を位相を調停したのち合成する。その結果、所定の伝送フォーマットの受信パケットデータが得られる。この受信パケットデータはコンパンダ３７に入力される。
【００３１】
コンパンダ３７は、通話時においては、ＣＤＭＡ信号処理部３６から出力された受信パケットデータに含まれている音声データをスピーチコーデックにより復号し、この復号により得られたディジタルオーディオ信号をＰＣＭコーデック３８に出力する。ＰＣＭコーデック３８は、このディジタルオーディオ信号をＰＣＭ復号してアナログスピーチ信号を出力する。このアナログスピーチ信号は、受話増幅器３９によって増幅されたのちスピーカ１８から出力される。
【００３２】
またコンパンダ３７は、電子メールの受信時やコンテンツのダウンロード時においては、受信パケットデータに含まれている電子メールデータ又はコンテンツデータを制御ユニット４１に渡す。制御ユニット４１は、コンパンダ３７から渡された電子メールデータ又はコンテンツデータをストレージ４２やメモリーカード４３に保存する。
【００３３】
制御ユニット４１は、操作キー１４やサイドキー１６を介して電子メールの表示要求が入力された場合、ストレージ４２やメモリーカード４３から該当する電子メールデータを読み出してメインディスプレイ１７に表示させる。
【００３４】
また制御ユニット４１は、操作キー１４やサイドキー１６を介してコンテンツの再生要求が入力された場合、ストレージ４２やメモリーカード４３から該当するコンテンツデータを読み出す。
【００３５】
コンテンツデータがオーディオコンテンツの場合、制御ユニット４１は、そのオーディオデータをコンパンダ３７に出力する。オーディオデータはコンパンダ３７により復号され、さらにＰＣＭコーデック３８でアナログ信号に変換されたのち、受話増幅器３９で増幅されてスピーカ１８から出力される。
【００３６】
これに対してコンテンツデータがビデオコンテンツの場合、制御ユニット４１は、そのビデオデータを内部のビデオコーデックにより復号して、メインディスプレイ１７に表示させる。
【００３７】
一方、通話時において、マイクロフォン１５に入力された話者の音声信号は、送話増幅器４０により適正レベルまで増幅されたのち、ＰＣＭコーデック３８によってＰＣＭ符号化処理が施され、ディジタルオーディオ信号となってコンパンダ３７に入力される。また、ＣＣＤカメラ２０から出力されたビデオ信号は、制御ユニット４１によりデジタル化されてコンパンダ３７に入力される。
【００３８】
コンパンダ３７は、ＰＣＭコーデック３８から出力されたディジタルオーディオ信号から入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット４１から出力されたディジタルビデオ信号を符号化してビデオデータを生成する。そして、これらのオーディオデータ及びビデオデータを多重分離部で所定の伝送フォーマットに従ってパケット化し、この送信パケットデータをＣＤＭＡ信号処理部３６へ出力する。さらに、制御ユニット４１からメール等のテキストデータが出力された場合にも、このテキストデータを上記送信パケットデータに多重化する。
【００３９】
なお、コンパンダ３７で生成されたビデオデータは、制御ユニット４１の制御の下でメインディスプレイ１７に表示される。
【００４０】
ＣＤＭＡ信号処理部３６は、コンパンダ３７から出力された送信パケットデータに対し、送信チャネルに割り当てられた拡散符号を用いてスペクトラム拡散処理を施す。そして、その出力信号を送信回路（ＴＸ）３５へ出力する。送信回路３５は、上記スペクトラム拡散された信号をＱＰＳＫ（Quadrature Phase Shift Keying）方式又はＱＡＭ（Quadrature Amplitude Modulation）方式等のデジタル変調方式を使用して変調する。そして、この変調により生成された送信信号を、周波数シンセサイザ３４から発生される局部発振信号と合成して無線信号に周波数変換する。そして、制御ユニット４１により指示される送信電力レベルとなるように上記無線信号を高周波増幅する。この増幅された無線信号は、アンテナ共用器３２を介してアンテナ３１に供給され、このアンテナ３１から基地局へ向けて送信される。
【００４１】
なお、サブディスプレイ２１には、携帯電話機１０の動作モードを表す情報や、着信の報知情報、バッテリ４５の残量又は充電状態を表す情報が表示される。電源回路４６は、バッテリ４５の出力をもとに所定の動作電源電圧Ｖccを生成して各回路部に供給する。バッテリ４５は図示しない充電回路により充電される。
【００４２】
携帯電話機１０は、操作キー１４とメインディスプレイ１７を介して制御ユニット４１によって、動作に関する諸設定を設定することができる。設定内容はストレージ４２に記憶され、必要に応じて制御ユニット４１によって読み出され、動作制御に利用される。
【００４３】
前述したように、メインディスプレイ１７を有する第２の筐体１３はヒンジ部１１により第１の筐体１２に対して二軸回転可能である。携帯時、図２に示されるように、第１の筐体１２と第２の筐体１３がメインディスプレイ１７を内側に向けて折り畳まれる。通話時、図１に示されるように、第１の筐体１２と第２の筐体１３がほぼ真っすぐになるように、第１の筐体１２に対して第２の筐体１３がＸ軸周りに１８０度回転されて開かれる。さらに、コンテンツの視聴（画像系データや音楽系データなどのコンテンツの再生）のために、第１の筐体１２と第２の筐体１３がメインディスプレイ１７を外側に向けて折り畳まれてもよい。
【００４４】
本明細書では、第１の筐体１２と第２の筐体１３とがメインディスプレイ１７を内側に向けて折り畳まれた状態を「閉じた状態」、第１の筐体１２と第２の筐体１３とがほぼ真っすぐにのばされた状態を「開いた状態」、第１の筐体１２と第２の筐体１３とがメインディスプレイ１７を外側に向けて折り畳まれた状態を「ターンオーバー状態」と呼ぶものとする。また、携帯電話機１０を「開いた状態」から「ターンオーバー状態」に変形させる一連の操作を「ターンオーバー操作」と呼び、また「ターンオーバー状態」を解除する操作を「ターンオーバー解除操作」と呼ぶものとする。
【００４５】
図４は、ターンオーバー操作における携帯電話機の変形の様子を示している。ターンオーバー操作は、開いた状態から第１の筐体１２に対して第２の筐体１３をＹ軸周りに１８０度回転させ、続いて第１の筐体１２に対して第２の筐体１３をＸ軸周りに１８０度回転させることにより行なう。
【００４６】
図５は、従来の二軸回転型の携帯電話機において、ターンオーバー状態でコンテンツを視聴する操作時の表示画面の推移を示している。図５（Ａ）は、再生開始操作してからターンオーバー操作する際の表示画面の推移を示し、図５（Ｂ）は、ターンオーバー操作してから再生開始操作する際の表示画面の推移を示している。
【００４７】
再生開始操作してからターンオーバー操作する手法では、ユーザは、再生開始操作の後、ターンオーバー操作を行ないつつ、視聴に適した向きに携帯電話機を持ち替える。また、図５（Ａ）から分かるように、コンテンツの再生は開いた状態のときに開始される。このため、ユーザはコンテンツの先頭部分を見逃すことがある。
【００４８】
ターンオーバー操作してから再生開始操作する手法では、ユーザは、ターンオーバー操作を行ないつつ、視聴に適した向きに携帯電話機を持ち替えた後、サイドキーなどの補助キーを使用して再生開始操作を行なう。図５（Ｂ）から分かるように、この手法では、確実に、コンテンツの再生は携帯電話機がターンオーバー状態になった後に開始される。しかし、一般に、サイドキーなどの補助キーは側面などの操作しづらい個所にあるため、その操作はユーザにとって煩わしいものであり、また誤操作しやすい。
【００４９】
図６は、従来の二軸回転型の携帯電話機において、ターンオーバー状態で再生中のコンテンツを停止する操作時の表示画面の推移を示している。図６（Ａ）は、ターンオーバー解除操作してから再生停止操作する際の表示画面の推移を示し、図６（Ｂ）は、再生停止操作してからターンオーバー解除操作する際の表示画面の推移を示している。
【００５０】
ターンオーバー解除操作してから再生停止操作する手法では、ユーザは、ターンオーバー解除操作を行なって開いた状態にしてから、再生停止操作を行なう。また、図６（Ａ）から分かるように、コンテンツの再生は開いた状態に変形された後も再生停止操作が行なわれるまで継続される。このため、再生をすぐに停止することができない。また、停止位置を記憶しておくサスペンド／レジューム機能を有している場合、次回再生の開始位置が、ユーザが視聴済み位置よりも先になってしまう。
【００５１】
再生停止操作してからターンオーバー解除操作する手法では、ユーザは、サイドキーなどの補助キーを使用して再生停止操作を行なってから、ターンオーバー解除操作を行なう。図６（Ｂ）から分かるように、この手法では、確実に、コンテンツの再生は携帯電話機がターンオーバー状態から解除される前に停止される。しかし、一般に、サイドキーなどの補助キーは側面などの操作しづらい個所にあるため、その操作はユーザにとって煩わしいものであり、また誤操作しやすい。このため、所望の個所で再生を停止させにくい。
【００５２】
これに対して、本実施形態の携帯電話機１０は、ターンオーバー状態検出に対してコンテンツの再生を自動的に開始し、ターンオーバー状態解除検出に対してコンテンツの再生を自動的に停止する機能を有している。ターンオーバー状態検出およびターンオーバー状態解除検出は、磁気センサー１９ａ，１９ｂ，１９ｃ，１９ｄにより行なう。
【００５３】
この自動再生・停止機能は有効／無効が設定可能であり、その有効／無効は、他の設定と同様、操作キー１４とメインディスプレイ１７を介して制御ユニット４１によって設定され、ストレージ４２に記憶される。
【００５４】
図７は、本実施形態の携帯電話機において、ターンオーバー操作による自動再生・停止動作時の表示画面の推移を示している。図７（Ａ）は、データ一覧表示からの自動再生・停止動作における表示画面の推移を示し、図７（Ｂ）は、フォルダ一覧表示からの自動再生・停止動作における表示画面の推移を示している。
【００５５】
データ一覧表示からの自動再生・停止動作では、図７（Ａ）に示すように、まず、ユーザが、開いた状態において、データ一覧表示から所望の動画データを選択してから、ターンオーバー操作を行なう。ターンオーバー状態になったことを検出すると、該当データの再生を開始する。また、再生中、ターンオーバー状態が解除されたことを検出すると、該当データの再生を停止する。
【００５６】
またフォルダ一覧表示からの自動再生・停止動作では、図７（Ｂ）に示すように、まず、ユーザが、開いた状態において、フォルダ一覧表示から所望の動画フォルダを選択してから、ターンオーバー操作を行なう。ターンオーバー状態になったことを検出すると、該当フォルダに含まれるデータの連続再生を開始する。また、再生中、ターンオーバー状態が解除されたことを検出すると、該当フォルダに含まれるデータの連続再生を停止する。
【００５７】
つまり、携帯電話機１０では、ターンオーバー状態になると同時に再生を開始し、ターンオーバー状態でなくなると同時に再生を停止する。このように、ターンオーバー状態検出をきっかけとして再生を開始するので、ユーザが動画データの先頭部分を見逃すことがなくなる。また、ターンオーバー状態解除検出をきっかけとして再生を停止するので、再生がすぐに停止されるようになる。さらに、再生の開始と停止のタイミングを決めるユーザの操作は第１の筐体１２に対して第２の筐体１３を開閉させる操作であるので、ユーザが誤操作する心配はまずない。
【００５８】
図８は、本実施形態の携帯電話機において、コンテンツの自動再生機能の有効／無効の設定操作時の表示画面の推移を示している。図８（Ａ）は、コンテンツの自動再生機能を有効に設定する際の表示画面の推移を示し、図８（Ｂ）は、コンテンツの自動再生機能を無効に設定する際の表示画面の推移を示している。
【００５９】
コンテンツの自動再生機能はデータ種別単位で個別に有効／無効が設定可能であり、図８に示されるように、設定画面には、データ種別（コンテンツの種類）の一覧が表示されるとともに、その各々についてコンテンツの自動再生機能の有効／無効が表示される。データ種別を選択して設定切替操作を行なうことにより、コンテンツの自動再生機能の有効／無効を切り替える。
【００６０】
携帯電話機１０は、コンテンツの再生を前回停止位置から再開するサスペンド／レジューム機能を有する。サスペンド／レジューム機能は有効／無効が設定可能であり、その有効／無効もまた、他の設定と同様、操作キー１４とメインディスプレイ１７を介して制御ユニット４１によって設定され、ストレージ４２に記憶される。サスペンド／レジューム機能が有効の場合、コンテンツの再生停止時、その停止位置がストレージ４２に記憶される。そして、図８において、コンテンツの自動再生機能を有効／無効の設定に連動してサスペンド／レジューム機能を有効／無効になるように制御しても良いし、図８で別の項目を設けてサスペンド／レジューム機能を有効／無効を設定しても良い。
【００６１】
以下、画像系データや音楽系データなどのコンテンツをターンオーバー状態で視聴する動作について図９を参照しながら説明する。図９は、コンテンツをターンオーバー状態で視聴する動作の制御手順を示すフローチャートである。制御は基本的に制御ユニット４１によって行なわれる。また制御ユニット４１は磁気センサー１９ａ，１９ｂ，１９ｃ，１９ｄにより携帯電話機１０の状態を監視している。
【００６２】
Ｓ１において、コンテンツの選択画面をメインディスプレイ１７に表示する。ユーザは表示されているコンテンツの中から再生するデータを選択する。その後、ユーザはターンオーバー操作を行なう。
【００６３】
Ｓ２において、ターンオーバー状態に設定されたことを検出したら、Ｓ３において、ターンオーバー操作における自動再生設定が有効か無効かを判断する。自動再生設定が無効の場合、自動再生は行なわない（Ｓ４）。一方、自動再生設定が有効の場合、Ｓ５において、データ一覧表示であるかフォルダ一覧表示であるかを判断する。
【００６４】
Ｓ５の判断結果がデータ一覧表示である場合には、Ｓ６において、該当データを再生する。また、Ｓ５の判断結果がフォルダ一覧表示である場合には、Ｓ７において、該当フォルダ内のデータを連続的に再生する。
【００６５】
その後、Ｓ８において、ターンオーバー状態が解除されたことを検出したら、Ｓ９において、再生を停止するとともに、Ｓ１０において、コンテンツの選択画面をメインディスプレイ１７に表示する。
【００６６】
これまで、図面を参照しながら本発明の実施形態を述べたが、本発明は、これらの実施形態に限定されるものではなく、その要旨を逸脱しない範囲において様々な変形や変更が施されてもよい。
【図面の簡単な説明】
【００６７】
【図１】本発明による携帯端末の一実施形態である携帯電話機の開いた状態の外観を示している。
【図２】図１に示した本発明の一実施形態による携帯電話機の閉じた状態の外観を示している。
【図３】図１と図２に示した本発明の一実施形態による携帯電話機の構成ブロックを示している。
【図４】図１と図２に示した本発明の一実施形態による携帯電話機のターンオーバー操作における変形の様子を示している。
【図５】従来の二軸回転型の携帯電話機において、ターンオーバー状態でコンテンツを視聴する操作時の表示画面の推移を示している。
【図６】従来の二軸回転型の携帯電話機において、ターンオーバー状態で再生中のコンテンツを停止する操作時の表示画面の推移を示している。
【図７】図１と図２に示した本発明の一実施形態による携帯電話機において、ターンオーバー操作による自動再生・停止動作時の表示画面の推移を示している。
【図８】図１と図２に示した本発明の一実施形態による携帯電話機において、サスペンド／レジューム機能の有効／無効の設定操作時の表示画面の推移を示している。
【図９】図１と図２に示した本発明の一実施形態による携帯電話機において、コンテンツをターンオーバー状態で視聴する動作の制御手順を示すフローチャートである。
【符号の説明】
【００６８】
１０…携帯電話機、１１…ヒンジ部、１２…第１の筐体、１３…第２の筐体、１４…操作キー、１５…マイクロフォン、１６…サイドキー、１７…メインディスプレイ、１８…スピーカ、１９ａ，１９ｂ，１９ｃ，１９ｄ…磁気センサー、２０…ＣＣＤカメラ、２１…サブディスプレイ、２２…静電タッチパッド、３１…アンテナ、３２…アンテナ共用器、３３…受信回路、３４…周波数シンセサイザ、３５…送信回路、３６…ＣＤＭＡ信号処理部、３７…コンパンダ、３８…ＰＣＭコーデック、３９…受話増幅器、４０…送話増幅器、４１…制御ユニット、４２…ストレージ、４３…メモリーカード、４５…バッテリ、４６…電源回路。
【図１】
2008067209.tif 000003
【図２】
2008067209.tif 000004
【図３】
2008067209.tif 000005
【図４】
2008067209.tif 000006
【図５】
2008067209.tif 000007
【図６】
2008067209.tif 000008
【図７】
2008067209.tif 000009
【図８】
2008067209.tif 000010
【図９】
2008067209.tif 000011